(57)【要約】【課題】  ＰＣの代わりにホスト機器として動作し、ＰＣのデバイス機器である画像編集入力装置をデジタルカメラに接続することによって、ＰＣを介さず、簡単に画像の編集が行える。【解決手段】  デジタルカメラに接続される機器を判断し、情報処理装置と接続されていると判断した場合はデジタルカメラをデバイス機器として動作させ、情報処理装置で使用可能なデバイス機器と接続されていると判断した場合はデジタルカメラをホスト機器として動作させるよう機能を切り替える。【選択図】  図５
2006109297.tif 000002
【特許請求の範囲】
【請求項１】
ホスト機能とデバイス機能を備えるデジタルカメラであって、
前記デジタルカメラに接続される機器を判断する判断手段と、
前記判断手段により情報処理装置と接続されていると判断した場合は前記デジタルカメラをデバイス機器として動作させ、前記判断手段により前記情報処理装置で使用可能なデバイス機器と接続されていると判断した場合は前記デジタルカメラをホスト機器として動作させるよう機能を切り替える制御手段と、
を有することを特徴とするデジタルカメラ。
【請求項２】
前記制御手段による切り替え結果を表示する表示手段をさらに有することを特徴とする請求項１に記載のデジタルカメラ。
【請求項３】
前記接続される機器の機器情報を検出する検出手段をさらに有することを特徴とする請求項１に記載のデジタルカメラ。
【請求項４】
前記接続される機器がタブレット及びマウスの少なくとも１つの入力機器である場合、前記制御手段は、前記入力機器を使用して画像編集を行う編集モードに移行することを特徴とする請求項１に記載のデジタルカメラ。
【請求項５】
前記制御手段による切り替え結果を表示する表示手段をさらに有し、
前記接続される機器が前記入力機器である場合、前記表示手段は、前記編集モードに移行したことを示す表示を行うことを特徴とする請求項１に記載のデジタルカメラ。
【請求項６】
ホスト機能とデバイス機能を備えるデジタルカメラの制御方法であって、
前記デジタルカメラに接続される機器を判断する判断工程と、
前記判断工程において情報処理装置と接続されていると判断した場合は前記デジタルカメラをデバイス機器として動作させ、前記判断工程において前記情報処理装置で使用可能なデバイス機器と接続されていると判断した場合は前記デジタルカメラをホスト機器として動作させるよう機能を切り替える制御工程と、
を有することを特徴とするデジタルカメラの制御方法。
【発明の詳細な説明】
【技術分野】
【０００１】
本発明は、ホスト機能とデバイス機能の両方の機能を備えるデジタルカメラ及びデジタルカメラの制御方法に関するものである。
【背景技術】
【０００２】
デジタルカメラは、ホスト機能及びデバイス機能の両方の機能を兼ね備えたデジタルカメラが提案されている（特許文献１参照）。ここでホストは、接続した機器の制御を行うものであり、デバイスは制御されるものであるとする。従来、ＰＣ（Ｐｅｒｓｏｎａｌ  Ｃｏｍｐｕｔｅｒ）等情報処理装置と接続する場合、ＰＣがホスト機器として動作し、デジタルカメラがデバイス機器として動作している。
【特許文献１】特開平２００４−１１８２６１号公報
【発明の開示】
【発明が解決しようとする課題】
【０００３】
しかしながら、デジタルカメラは、画像を撮影することを第一に考えられているため、ホスト機器となり、ＰＣのデバイス機器を使用して撮影した画像の編集を行うことができなかった。
【０００４】
本発明は上述した問題点を解決するためのものであり、ＰＣのデバイス機器としてだけでなく、ＰＣの代わりにホスト機器として動作し、ＰＣのデバイス機器である画像編集入力装置をデジタルカメラに接続することによって、ＰＣを介さず、簡単に画像の編集が行えるデジタルカメラを提供することを目的とする。
【課題を解決するための手段】
【０００５】
上記目的を達成するために、本発明のデジタルカメラは、ホスト機能とデバイス機能を備えるデジタルカメラであって、前記デジタルカメラに接続される機器を判断する判断手段と、前記判断手段により情報処理装置と接続されていると判断した場合は前記デジタルカメラをデバイス機器として動作させ、前記判断手段により前記情報処理装置で使用可能なデバイス機器と接続されていると判断した場合は前記デジタルカメラをホスト機器として動作させるよう機能を切り替える制御手段と、を有することを特徴とする。
【０００６】
また、本発明のデジタルカメラの制御方法は、ホスト機能とデバイス機能を備えるデジタルカメラの制御方法であって、前記デジタルカメラに接続される機器を判断する判断工程と、前記判断工程において情報処理装置と接続されていると判断した場合は前記デジタルカメラをデバイス機器として動作させ、前記判断工程において前記情報処理装置で使用可能なデバイス機器と接続されていると判断した場合は前記デジタルカメラをホスト機器として動作させるよう機能を切り替える制御工程と、を有することを特徴とする。
【発明の効果】
【０００７】
本発明によれば、ＰＣのデバイス機器としてだけでなく、ＰＣの代わりにホスト機器として動作し、ＰＣのデバイス機器である画像編集入力装置をデジタルカメラに接続することによって、ＰＣを介さず、簡単に画像の編集が行える。
【発明を実施するための最良の形態】
【０００８】
以下、図面を参照して本発明の実施の形態を説明する。
【０００９】
（第１の実施形態）
図１、図２は本実施形態に関るシステム構成を説明するための模式図である。本実施形態では、デジタルカメラがホスト機能及びデバイス機能の両方の機能を兼ね備えているため、図１のように、タブレット１０２などのＰＣのデバイス機器として使用可能な画像編集入力装置と接続している場合は、デジタルカメラ１０１がホスト機能で動作して、タブレット１０２などの画像編集入力装置を制御することになる。
【００１０】
また、図２のように、ＰＣ２０２と接続している場合は、従来のようにＰＣ２０２のデバイス機器としてデバイス機能で動作する。しかし、ＰＣ２０２と接続された場合においても、ホストであるＰＣ２０２で、手動でホストにするか、デバイスにするかを選択指示することも可能であり、そのときＰＣ２０２と接続されているマウスなどを使用して画像の編集を行うことも考えられる。
【００１１】
図３は、本実施形態のデジタルカメラにおけるブロック図を示す。ここで、各ブロック３０１、３０３〜３０７は、デジタルカメラのＣＰＵで実行されるソフトウェアで構成されるが、ＬＳＩ等のハードウェアで構成されていてもよい。
【００１２】
Ｈ／Ｄ機能切り替え部３０１は、ＰＣと接続された場合（図２）はデバイス機能部３０４として、タブレットなどの画像編集入力装置と接続された場合（図１）はホスト機能部３０３として、デジタルカメラの機能を排他的に切り替える。
【００１３】
図１では、タブレットなどの画像編集入力装置と接続されているので、デジタルカメラはホストとして、接続機器を制御する。図２ではＰＣと接続されているのでデジタルカメラは、ＰＣのデバイス機器として動作する。
【００１４】
そして、３０２は、切り替えたことをユーザーに通知するためのＨ／Ｄ切り替え表示部（ＵＩ）である。
【００１５】
ホスト機能３０３で動作している場合、デバイス機器検出部３０５で、接続されているデバイス機器を検出する。
【００１６】
そして、その機器が、タブレットなどの画像編集入力装置ならば、画像編集モードに移行し、画像編集部３０７でタブレットなどの画像編集入力装置を使用してデジタルカメラで撮影した画像データの画像編集を行う。
【００１７】
モード表示部３０６は、移行したことをユーザーに通知するために、表示部に、編集モードに移行したことを示すマークを表示させる。
【００１８】
図４は、デジタルカメラとタブレットが接続された場合におけるシステムの内部構成図を示す。
【００１９】
図４において、ＢＬ（バスライン）４０６にて、処理を実行するＣＰＵ４０１、デジタルカメラとして制御や前述ブロック図で示したＰＣと接続したときのデバイス機能、ＰＣ以外の機器と接続したときのホスト機能部、タブレットと接続し画像を編集するための画像編集部などのプログラムや、デバイス機器検出部で使用される登録機器参照データなどが格納されたＲＯＭ４０２、タブレットなどの接続されたデバイス機器の情報などの一時的なデータを格納するワークエリアとして使用するＲＡＭ４０３、画像編集部にて、撮影した画像データを編集する際に画像を表示するＤＩＳＰ（表示部）４０４、そして、他のデバイス機器と接続するためのＩ／Ｏ４０５が接続されている。
【００２０】
次にデジタルカメラのホスト機能及びデバイス機能に関る制御動作について説明する。動作の説明は２つに分けて説明する。
【００２１】
はじめに、図５のフローを用いてデジタルカメラが、ＰＣと接続される場合とＰＣに対するデバイス機器と接続される場合とに応じて、ホストとして機能するか、デバイスとして機能するかを切り替える処理の説明を行う。
【００２２】
Ｓ５０１では、機器との接続を判別する。接続された場合、Ｓ５０２に進み、ＰＣからのネゴシエーションがあるかどうかを判別する。ネゴシエーションがある場合は、Ｓ５０４に進み、ＰＣのデバイスとして機能する。ネゴシエーションない場合はＳ５０３に進み、接続機器のホストとして機能する。
【００２３】
ここで、デジタルカメラの接続インターフェースがＵＳＢ  ＯＴＧ１．０規格に準拠したものであるときは、接続されたケーブルのコネクタを判別してホストとして機能するかデバイスとして機能するかを判断する。
【００２４】
続いて、Ｓ５０５に進み、ホスト／デバイスのどちらの機能に設定されたかを図４のＤＩＳＰ上に表示する。
【００２５】
次に、図６のフローを用いて画像編集入力装置と接続された後の処理を説明する。
【００２６】
ホストとして、デバイス機器に接続されると、デバイス機器検出部にて、そのデバイス機器の情報（図４の４０７）を図４のＲＡＭ４０３上にコピーし、図４のＲＯＭ４０２の登録機器参照データと比較し、Ｓ６０１で登録デバイス機器であるかどうか判別する。
【００２７】
登録されていない場合は、Ｓ６０４へ進みエラー処理として、図４のＤＩＳＰ４０４上にエラー表示をする。画像編集入力装置として登録されている場合は、Ｓ６０２へ進み、画像編集モードに移行したことを示すマークを図４のＤＩＳＰ４０４上に表示させ、Ｓ６０３へ進み、図４のＲＯＭ４０２上に格納されている画像編集のプログラムで撮影した画像データを編集する。
【００２８】
以上説明したように、本実施形態によれば、ＰＣのデバイス機器としてだけでなく、ＰＣの代わりにホスト機器として動作し、ＰＣのデバイス機器である画像編集入力装置をデジタルカメラに接続することによって、ＰＣを介さず、簡単に画像の編集が行える。そして、本体と接続されている機器を自動的に検出し、表示することにより、より使いやすいデジタルカメラを提供することができる。
【００２９】
（第２の実施形態）
第２の実施形態として、ホスト機能デバイス機能切り替え、ホスト機能におけるデバイス機器検出、モード移行まで、及びフローは共通で、図３における特殊機能部３０７（図３では画像編集部）を換えることにより、多機能なデジタルカメラを実現することが可能である。
【００３０】
本実施形態のシステム構成の一例を図７に示す。ここで、接続デバイス機器がキーボード７０２の場合、特殊機能部３０７にテキスト入力部を有すれば、画像にテキスト入力を行え、画像データのファイル名、コメント等を入力、編集することが可能となる。
【００３１】
接続デバイス機器がプリンタ７０３の場合、特殊機能部３０７にプリンタ制御部を有すれば、ダイレクトプリント専用のプリンタを使用することなく、画像をプリントすることも可能である。
【００３２】
また、デジタルカメラだけでなく、静止画を撮影することが可能な機器（デジタルビデオカメラ）であれば、本発明と同様な機能を実現できる。
【図面の簡単な説明】
【００３３】
【図１】第１の実施形態に関るシステム構成を説明するための模式図である。
【図２】第１の実施形態に関るシステム構成を説明するための模式図である。
【図３】本実施形態のデジタルカメラにおけるブロック図を示す。
【図４】デジタルカメラとタブレットが接続された場合におけるシステムの内部構成を示す図である。
【図５】本実施形態のホスト機能／デバイス機能切り替えに関るのフロー図である。
【図６】本実施形態のデバイス機器検出から画像編集までのフロー図である。
【図７】第２の実施形態のシステム構成を説明するための図である。
【符号の説明】
【００３４】
１０１  デジタルカメラ
１０２  タブレット
２０１  デジタルカメラ
２０２  ＰＣ
【図１】
2006109297.tif 000003
【図２】
2006109297.tif 000004
【図３】
2006109297.tif 000005
【図４】
2006109297.tif 000006
【図５】
2006109297.tif 000007
【図６】
2006109297.tif 000008
【図７】
2006109297.tif 000009